(57)【特許請求の範囲】
【請求項１】
第１情報及び第２情報を記憶した記憶媒体を有する消耗材ユニットに内在する消耗材を使用してシートに画像を形成する画像形成装置であって、
前記第１情報に基づいて前記画像の形成を開始するための処理を実行する制御部と、
前記第２情報を読み取る前に、前記記憶媒体から前記第１情報を読み取って前記制御部に送信する読取部と
を備え、
前記制御部は、
第１制御部と、
第２制御部と
を含み、
前記第１制御部は、前記第１情報及び前記第２情報を前記第２制御部に通知した後に、前記記憶媒体に記憶された前記第１情報及び／又は前記第２情報が改ざんされているか否かを判定し、
前記第２制御部は、前記画像の形成を開始するための前記処理、及び前記第２情報に基づく処理を実行し、
前記第１情報は、前記処理に不可欠な情報であり、
前記第２情報は、前記画像の形成中又は形成後に前記制御部が処理可能な情報である、画像形成装置。
【請求項２】
前記第１情報は、前記消耗材ユニットが純正品か否かを判定するための情報、及び／又は前記消耗材ユニットの仕向け地域を示す情報である、請求項１に記載の画像形成装置。
【請求項３】
前記第２情報は、前記消耗材の残量を示す情報、及び／又は画像形成回数を示す情報である、請求項１又は請求項２に記載の画像形成装置。
【請求項４】
前記第２制御部は、前記読取部による前記第２情報の読み取り動作と並行して前記画像の形成を開始するための前記処理を実行する、請求項１から請求項３のいずれか１項に記載の画像形成装置。
【発明の詳細な説明】
【技術分野】
【０００１】
本発明は、消耗材ユニット（例えばトナーコンテナ）に内在する消耗材（例えばトナー）を使用してシートに画像を形成する画像形成装置、消耗材ユニット、及び記憶媒体に関する。
【背景技術】
【０００２】
特許文献１に開示された画像形成装置では、トナーコンテナに不揮発性メモリーが埋め込まれている。不揮発性メモリーは識別コードを記憶する。画像形成装置は、トナーコンテナが交換された際に、識別コードに基づいてトナーコンテナが純正品か否かを判定する。画像形成装置は、トナーコンテナが純正品でないと判定した際に警告表示を行う。
【先行技術文献】
【特許文献】
【０００３】
【特許文献１】特開２００７−１９９４７８号公報
【発明の概要】
【発明が解決しようとする課題】
【０００４】
しかしながら、特許文献１は、不揮発性メモリーから識別コードの読み取りを開始してから前処理を完了するまでの時間の短縮化について開示していない。前処理は、シートへの画像の形成を開始するための処理である。
【０００５】
本発明は上記課題に鑑みてなされたものであり、その目的は、前処理に不可欠な情報の読み取りを開始してから前処理を完了するまでの時間を短縮できる画像形成装置、消耗材ユニット、及び記憶媒体を提供することにある。
【課題を解決するための手段】
【０００６】
本発明の第１の観点による画像形成装置は、消耗材ユニットに内在する消耗材を使用してシートに画像を形成する。消耗材ユニットは記憶媒体を有する。記憶媒体は第１情報及び第２情報を記憶する。画像形成装置は、制御部と、読取部とを備える。制御部は、前記第１情報に基づいて前記画像の形成を開始するための処理を実行する。読取部は、前記第２情報を読み取る前に、前記記憶媒体から前記第１情報を読み取って前記制御部に送信する。前記第１情報は、前記処理に不可欠な情報である。前記第２情報は、前記画像の形成中又は形成後に前記制御部が処理可能な情報である。
【０００７】
本発明の第２の観点による消耗材ユニットは、制御部及び読取部を有する画像形成装置に着脱自在に装着される。消耗材ユニットは、前記画像形成装置に供給する消耗材を収容する。消耗材ユニットは、記憶媒体を備える。記憶媒体は、第１情報及び第２情報を記憶している。前記画像形成装置は、前記消耗材を使用してシートに画像を形成する。前記制御部は、前記第１情報に基づいて前記画像の形成を開始するための処理を実行する。前記読取部は、前記第２情報を読み取る前に、前記記憶媒体から前記第１情報を読み取って前記制御部に送信する。前記第１情報は、前記処理に不可欠な情報である。前記第２情報は、前記画像の形成中又は形成後に前記制御部が処理可能な情報である。
【０００８】
本発明の第３の観点による記憶媒体は、消耗材ユニットに取り付けられる。消耗材ユニットは、制御部及び読取部を有する画像形成装置に着脱自在に装着される。記憶媒体は、第１情報及び第２情報を記憶している。前記画像形成装置は、前記消耗材ユニットに内在する消耗材を使用してシートに画像を形成する。前記制御部は、前記第１情報に基づいて前記画像の形成を開始するための処理を実行する。前記読取部は、前記第２情報を読み取る前に前記第１情報を読み取って前記制御部に送信する。前記第１情報は、前記処理に不可欠な情報である。前記第２情報は、前記画像の形成中又は形成後に前記制御部が処理可能な情報である。
【発明の効果】
【０００９】
本発明によれば、読取部は、画像の形成中又は形成後に処理可能な第２情報を読み取る前に、画像の形成を開始するための処理（前処理）に不可欠な第１情報を読み取って制御部に送信する。従って、制御部は、読取部からの第２情報の送信を待つことなく前処理を開始できる。その結果、第１情報及び第２情報の双方を受信した後に前処理を開始する場合と比較して、読取部が第１情報の読み取りを開始してから制御部が前処理を完了するまでの時間を短縮できる。
【図面の簡単な説明】
【００１０】
【図１】本発明の実施形態に係る画像形成装置の要部を示すブロック図である。
【図２】（ａ）図１に示す画像形成装置の処理の概要を示す図である。（ｂ）一般的な画像形成装置の処理の概要を示す図である。
【図３】図１に示す画像形成装置の全体構成を示すブロック図である。
【図４】図３に示す記憶媒体に記憶された情報を説明するための図である。
【図５】図３に示す第１制御部が実行する処理を示すフローチャートである。
【図６】図３に示す画像形成装置の概略を説明するための模型的断面図である。
【発明を実施するための形態】
【００１１】
以下、本発明の実施形態について、図面を参照しながら説明する。なお、図中、同一または相当部分については同一の参照符号を付して説明を繰り返さない。
【００１２】
［基本原理］
図１は、本発明の実施形態に係る画像形成装置１の要部を示すブロック図である。画像形成装置１は、消耗材ユニット１１に内在する消耗材を使用してシートに画像を形成する。消耗材ユニット１１は記憶媒体１３を有する。記憶媒体１３は第１情報及び第２情報を記憶する。画像形成装置１は、制御部３と、読取部９とを備える。制御部３は、第１情報に基づいて前処理を実行する。前処理は、シートへの画像の形成を開始するための処理である。読取部９は、第２情報を読み取る前に、記憶媒体１３から第１情報を読み取って制御部３に送信する。第１情報は、前処理に不可欠な情報である。第２情報は、画像の形成中又は形成後に制御部３が処理可能な情報である。制御部３はメイン制御部５とエンジン制御部７とを含む。メイン制御部５及びエンジン制御部７については図３及び図４を参照して後述する。
【００１３】
本実施形態によれば、読取部９は、画像の形成中又は形成後に処理可能な第２情報を読み取る前に、前処理に不可欠な第１情報を読み取って制御部３に送信する。従って、制御部３は、読取部９からの第２情報の送信を待つことなく前処理を開始できる。その結果、第１情報及び第２情報の双方を受信した後に前処理を開始する場合と比較して、読取部９が第１情報の読み取りを開始してから制御部３が前処理を完了するまでの時間（以下、「準備時間」と記載する。）を短縮できる。
【００１４】
［処理の概要］
図１及び図２を参照する。図２（ａ）は、画像形成装置１の処理の概要を示す図である。図２（ｂ）は、一般的な画像形成装置（図示せず）の処理の概要を示す図である。一般的な画像形成装置は従来技術ではない。ステップＳ１にて、読取部９は、記憶媒体１３から第１情報を読み取る。ステップＳ３にて、読取部９は、制御部３に第１情報を送信する。ステップＳ７にて、読取部９は、記憶媒体１３から第２情報を読み取る。ステップＳ９にて、読取部９は、制御部３に第２情報を送信する。一方、ステップＳ５にて、制御部３は、読取部９による第２情報の読み取り動作（ステップＳ７）と並行して前処理を実行する。なお、前処理は、ステップＳ７の処理期間中に完了してもよいし、ステップＳ９の処理期間に跨って実行されてもよい。
【００１５】
一方、一般的な画像形成装置では、ステップＳ１０１にて、読取部（図示せず）は、記憶媒体（図示せず）から第１情報を読み取る。ステップＳ１０３にて、読取部は、記憶媒体から第２情報を読み取る。ステップＳ１０５にて、読取部は、制御部（図示せず）に第１情報を送信する。ステップＳ１０７にて、読取部は、制御部に第２情報を送信する。そして、制御部は、第１情報及び第２情報を受信した後、ステップＳ１０９にて、前処理を実行する。
【００１６】
次に、画像形成装置１と一般的な画像形成装置とで、準備時間を比較する。図２（ａ）に示すように、画像形成装置１での準備時間は時間Ｔ１である。ステップＳ７及びステップＳ９に要する時間は時間Ｔ２である。一方、図２（ｂ）に示すように、一般的な画像形成装置での準備時間は時間Ｔ３である。時間Ｔ３は、時間Ｔ１と時間Ｔ２との和である。従って、画像形成装置の準備時間Ｔ１が、一般的な画像形成装置の準備時間Ｔ３より短縮されていることが理解できる。
【００１７】
［要部の詳細］
図１、図３、及び図４を参照する。図３は、画像形成装置１の全体構成を示すブロック図である。図４は、記憶媒体１３に記憶された情報を説明するための図である。画像形成装置１は、制御部３、原稿送り部２０、操作パネル３０、画像読取部４０、給紙部５０、搬送部６０、画像形成部７０、定着部８０、読取部９、及び消耗材ユニット１１を備える。図１を参照して説明したように、制御部３はメイン制御部５及びエンジン制御部７を含む。メイン制御部５は、第１制御部２１、第２制御部２３、及び記憶部２５を含む。操作パネル３０はディスプレー３２を含む。
【００１８】
消耗材ユニット１１は、画像形成装置１に着脱自在に装着され、画像形成装置１に供給する消耗材を収容する。本実施形態では、消耗材ユニット１１に内在する（収容される）消耗材はトナーであり、消耗材ユニット１１はトナーコンテナ又はトナーカートリッジである。
【００１９】
記憶媒体１３は、第１情報１５、第２情報１７、及びチェックサム１９を記憶している。本実施形態では、第１情報１５は、消耗材ユニット１１が純正品か否かを判定するための情報、及び／又は消耗材ユニット１１の仕向け地域（例えば、日本、北米）を示す情報である。本実施形態では、第２情報１７は、消耗材の残量を示す情報、及び／又は画像形成回数（例えば、印刷枚数の累計）を示す情報である。チェックサム１９はチェック用の符号値である。本実施形態では、チェックサム１９は、第１情報１５及び第２情報１７に基づき算出される。
【００２０】
記憶媒体１３と読取部９とは、本実施形態では、ＲＦＩＤ（Ｒａｄｉｏ  Ｆｒｅｑｕｅｎｃｙ  ＩＤｅｎｔｉｆｉｃａｔｉｏｎ）を構成する。例えば、記憶媒体１３は、ＲＦタグに含まれる不揮発性メモリーである。例えば、読取部９はリーダー／ライターである。
【００２１】
メイン制御部５は、画像形成装置１の全体を制御するハードウェアとソフトウェアとからなる。メイン制御部５は、エンジン制御部７に命令を送り、画像形成装置１の各部（原稿送り部２０、操作パネル３０、画像読取部４０、給紙部５０、搬送部６０、画像形成部７０、定着部８０、及び読取部９）を間接的に制御する。なお、読取部９以外の各部については、図６を参照して後述する。エンジン制御部７は、各部に直接接続されるハードウェアとソフトウェアとからなる。そして、エンジン制御部７は、自律的、又はメイン制御部５の命令に従って、各部を直接制御する。
【００２２】
第１制御部２１は、第１情報１５及び第２情報１７の読み取りに関する処理並びに記憶媒体１３に記憶された情報が改ざんされているか否かを判定する処理を実行する。詳細は図５を参照して後述する。
【００２３】
第２制御部２３は前処理を実行する。前処理は、画像形成開始前に実行される準備処理である。前処理は、第１制御部２１から通知された第１情報１５に基づく処理を含む。例えば、第２制御部２３は、消耗材ユニット１１が純正品か否かを判定する。そして、第２制御部２３は、消耗材ユニット１１が純正品でないと判定した場合、消耗材ユニット１１が模倣品であることを示す映像をディスプレー３２に表示する。例えば、第２制御部２３は、消耗材ユニット１１の仕向け地域を認識して、認識した仕向け地域と画像形成装置１の使用地域とが一致するか否かを判定する。そして、第２制御部２３は、仕向け地域と使用地域とが一致しないと判定した場合、消耗材ユニット１１が並行輸入品又は逆輸入品であることを示す映像をディスプレー３２に表示する。
【００２４】
また、前処理は、画像形成装置１の各部を、電源が投入されてから待機状態にするための処理、及びスリープ状態から待機状態にするための処理を含む。待機状態は、操作パネル３０を介して画像形成（例えば、印刷）の開始を指示する入力があった場合に直ちに画像形成を開始できる状態である。
【００２５】
さらに、第２制御部２３は前処理以外の処理（以下、「他の処理」と記載する。）も実行する。他の処理は、第１制御部２１から通知された第２情報に基づく処理を含む。例えば、第２制御部２３は、消耗材の残量を認識してディスプレー３２に表示する。例えば、第２制御部２３は、画像形成回数を認識してディスプレー３２に表示する。また、他の処理は、シートへの画像の形成中又は形成後において各部を制御する処理を含む。
【００２６】
記憶部２５は、主記憶装置（例えば、半導体メモリー）及び補助記憶装置（例えば、半導体メモリー、ハードディスクドライブ）を含む。
【００２７】
ここで、第１制御部２１及び第２制御部２３は、演算装置（図示せず）が記憶部２５に格納されたコンピュータープログラムを実行することによって実現される。また、エンジン制御部７は、演算装置（図示せず）が記憶部（図示せず）に記憶されたコンピュータープログラムを実行することによって又は第１制御部２１若しくは第２制御部２３の命令を受けて、各部を制御するための専用回路（図示せず）を制御することによって実現される。演算装置は、例えば、ＣＰＵ（Ｃｅｎｔｒａｌ  Ｐｒｏｃｅｓｓｉｎｇ  Ｕｎｉｔ）である。
【００２８】
［記憶媒体からの情報の読み取り手順］
図３及び図４を参照して、第１情報１５の読み取り手順を説明する。第１制御部２１は、第１情報１５の読み取りをエンジン制御部７に要求する。エンジン制御部７は、第１情報１５の読み取りを読取部９に要求する。読取部９は、記憶媒体１３から第１情報１５を読み取り、エンジン制御部７に送信する。エンジン制御部７は、第１情報１５を受信して、第１制御部２１に送信する。このような一連の手順により、第１制御部２１は、記憶媒体１３から第１情報１５を読み取る。同様の手順により、第１制御部２１は、第２情報１７及びチェックサム１９を記憶媒体１３から読み込む。
【００２９】
第１情報１５、第２情報１７、及びチェックサム１９は、暗号化されて記憶媒体１３に記憶されることが好ましい。読み取りの際は、エンジン制御部７は、暗号化された第１情報１５、第２情報１７、及びチェックサム１９を読取部９から受信し、復号して、第１制御部２１に送信する。
【００３０】
［処理の詳細］
図３〜図５を参照する。図５は、第１制御部２１が実行する処理を示すフローチャートである。フローチャートでは、消耗材ユニット１１が記憶媒体１３を有していない場合、及び読取部９が記憶媒体１３から物理的に情報を読み取ることができない場合の処理を省略している。
【００３１】
ステップＳ３１にて、第１制御部２１は、第２制御部２３から記憶媒体１３からの情報（第１情報１５及び第２情報１７）の読み取り要求があるか否かを判定する。例えば、第２制御部２３は、画像形成装置１の電源が投入された時、又はスリープ状態を解除する指示が入力された時に、第１制御部２１に対して読み取り要求を行う。要求がないと判定した場合は、処理はステップＳ３１に戻る（ステップＳ３１でＮＯ）。要求があったと判定した場合は、処理はステップＳ３３に進む（ステップＳ３１でＹＥＳ）。
【００３２】
ステップＳ３３にて、第１制御部２１は、消耗材ユニット１１を覆うカバー（図示せず）が開放されたか否かを判定する。カバーは、消耗材ユニット１１を交換する際に開放される。カバーが開放されると、消耗材ユニット１１が露出して交換可能となる。カバーが開放されていないと判定した場合は、処理はステップＳ５３に進む（ステップＳ３３でＮＯ）。カバーが開放されていないということは、消耗材ユニット１１が交換及び抜き差しされていないことを意味する。ステップＳ５３では、第１制御部２１は、前回読み取った情報を第２制御部２３に通知し、処理を終了する。前回読み取った情報は、前回のルーチンでのステップＳ３９及びステップＳ４３で読み取った第１情報１５及び第２情報１７であり、記憶部２５に記憶されている。
【００３３】
一方、カバーが開放されたと判定した場合は、処理はステップＳ３５に進む（ステップＳ３３でＹＥＳ）。カバーが開放されたということは、消耗材ユニット１１が交換又は抜き差しされたことを意味する。ステップＳ３５にて、第１制御部２１は、記憶媒体１３からチェックサム１９を読み取る。ステップＳ３７にて、第１制御部２１は、チェックサム１９が前回読み取ったチェックサム１９と同じか否かを判定する。同じと判定した場合、処理はステップＳ５１に進む（ステップＳ３７でＹＥＳ）。ステップＳ５１では、第１制御部２１は、前回読み取った情報を第２制御部２３に通知し、処理はステップＳ４７に進む。前回読み取った情報は、ステップＳ５３で通知する前回読み取った情報と同じである。
【００３４】
一方、チェックサム１９が前回読み取ったチェックサム１９と同じでないと判定した場合、処理はステップＳ３９に進む（ステップＳ３７でＮＯ）。ステップＳ３９にて、第１制御部２１は、記憶媒体１３から第１情報１５を読み取る。ステップＳ４１にて、第１制御部２１は、第１情報１５を第２制御部２３に通知する。ステップＳ４３にて、第１制御部２１は、記憶媒体１３から第２情報１７を読み取る。ステップＳ４５にて、第１制御部２１は、第２情報１７を第２制御部２３に通知する。
【００３５】
ステップＳ４７にて、第１制御部２１は、第１情報１５及び第２情報１７に基づきチェックサムを算出する。ステップＳ４９にて、第１制御部２１は、算出したチェックサムとチェックサム１９とを比較し、一致するか否かを判定する。一致したと判定した場合、処理は終了する（ステップＳ４９でＹＥＳ）。
【００３６】
一方、一致しないと判定した場合、処理はステップＳ５５に進む（ステップＳ４９でＮＯ）。算出したチェックサムとチェックサム１９とが一致しないということは、第１情報１５及び／又は第２情報１７が不正に改ざんされたことを意味する。ステップＳ５５にて、第１制御部２１は、不正な改ざんがあったことを第２制御部２３に通知し、処理は終了する。通知を受けた第２制御部２３は、不正な改ざんがあったことを示す映像をディスプレー３２に表示し、ユーザーに通知する。
【００３７】
以上、図３〜図５を参照して説明したように、本実施形態によれば、第１制御部２１は、第１情報１５及び第２情報１７を第２制御部２３に通知した後に（ステップＳ４１及びステップＳ４５の後に）、記憶媒体１３に記憶された第１情報１５及び第２情報１７が改ざんされているか否かを判定する（ステップＳ４９：不正改ざん判定）。その結果、不正な改ざんを検出しつつ、第１情報１５及び第２情報１７を第２制御部２３に通知する前に不正改ざん判定を実行する場合と比較して、準備時間を短縮できる。
【００３８】
［画像形成装置の各部の動作］
図３及び図６を参照して、画像形成装置１の各部の動作を説明する。図６は、画像形成装置１の概略を説明するための模型的断面図である。画像形成装置１は、例えば、複写機、プリンター、又はファクシミリである。画像形成装置１は、例えば、複写機、プリンター、及びファクシミリのうちの２以上の機能を備えた複合機である。
【００３９】
原稿送り部２０は、原稿テーブル２２から原稿を１枚ずつ取り出して、自動的にコンタクトガラス４２に向けて搬送し、そして排出する。画像読取部４０は、コンタクトガラス４２及びコンタクトガラス４４を含む。画像読取部４０は、コンタクトガラス４２又はコンタクトガラス４４を介して、原稿の画像を読み取って画像データを生成する。操作パネル３０は、各種の設定を行うための入力部、及び各種の情報を表示する表示部として機能する。ディスプレー３２はタッチパネルである。
【００４０】
給紙部５０は、給紙カセット５２及び手差しトレイ５４を含む。給紙カセット５２はシートＰを収容する。手差しトレイ５４は手差しのシートＰを積載する。シートＰは、給紙カセット５２又は手差しトレイ５４から搬送部６０に送り出される。
【００４１】
搬送部６０は、画像形成部７０にシートＰを搬送する。画像形成部７０は次のようにしてシートＰに画像を形成する。画像形成部７０は、感光体ドラム７１、帯電部７２、露光部７３、現像部７４、転写部７５、クリーニング部７６、及び除電部７７を含む。
【００４２】
帯電部７２は感光体ドラム７１の表面を帯電する。露光部７３は、画像読取部４０によって生成された画像データに基づく光を感光体ドラム７１の表面に照射する。その結果、感光体ドラム７１の表面に静電潜像が形成される。
【００４３】
現像部７４は感光体ドラム７１の表面に形成された静電潜像を現像し、感光体ドラム７１の表面にトナー像を形成する。シートＰが感光体ドラム７１と転写部７５との間に供給されることにともなって、転写部７５はシートＰにトナー像を転写する。
【００４４】
トナー像が転写されたシートＰは定着部８０に向けて搬送される。定着部８０は、シートＰを加熱及び加圧して、シートＰにトナー像を定着させる。そして、排出ローラー対６２はシートＰを排出トレイ６４に排出する。
【００４５】
クリーニング部７６は、感光体ドラム７１の表面に残留しているトナーを除去する。除電部７７は、感光体ドラム７１の表面の残留電荷を除去する。
【００４６】
消耗材ユニット１１は、現像部７４の上方に装着される。消耗材ユニット１１（本実施形態ではトナーコンテナ）は、消耗材（本実施形態ではトナー）を収容しており、消耗材を現像部７４に供給する。消耗材ユニット１１は消耗品であり、消耗材の残量が少なくなってきたときに適宜新しい消耗材ユニット１１と交換される。
【００４７】
以上、図１〜図６を参照して説明したように、本実施形態によれば、記憶媒体１３に記憶すべき情報を第１情報１５と第２情報１７とに分割して記憶媒体１３に記憶している。そして、第１制御部２１は、まず第１情報１５を読み取って第２制御部２３に通知する。従って、第２制御部２３は、第２情報１７を待つことなく前処理を開始できる。その結果、準備時間を短縮できる。
【００４８】
なお、本発明は、上記の実施形態に限られるものではなく、その要旨を逸脱しない範囲で種々の態様において実施することが可能であり、例えば、以下のような変形も可能である。
【００４９】
（１）図３に示した例では、消耗材ユニット１１はトナーコンテナ又はトナーカートリッジであり、消耗材はトナーである。ただし、消耗材ユニット１１及び消耗材はこれらに限定されない。例えば、消耗材ユニット１１は、消耗材を収容する容器である。例えば、消耗材はインクであり、消耗材ユニット１１はインクタンク又はインクカートリッジである。例えば、消耗材は現像剤であり、消耗材ユニット１１は現像ユニットである。例えば、消耗材は感光体であり、消耗材ユニット１１は感光体ユニットである。
【００５０】
（２）図４に示した例では、記憶媒体１３に記憶されるべき情報は、第１情報１５と第２情報１７とに２分割されたが、３以上に分割してもよい。
【００５１】
（３）図４及び図５に示した例では、誤り検出符号の一種であるチェックサムを計算することにより、不正改ざん判定を実行したが、判定手法はこれに限定されない。例えば、誤り検出符号の一種であるハッシュ値又はＣＲＣ（Ｃｙｃｌｉｃ  Ｒｅｄｕｎｄａｎｃｙ  Ｃｈｅｃｋ：巡回冗長検査）値を計算することにより、不正改ざん判定を行うこともできる。この場合、第１情報１５及び第２情報１７に基づいて得られたハッシュ値又はＣＲＣ値が、チェックサム１９に代えて使用される。また、図５のステップＳ４７では、第１制御部２１は、第１情報１５及び第２情報１７に基づいてハッシュ値又はＣＲＣ値を算出する。
【００５２】
（４）図５に示した例では、第１制御部２１は、第１情報１５及び第２情報１７の双方に対して不正改ざん判定を実行したが、第１情報１５に対して不正改ざん判定を実行してもよいし、第２情報１７に対して不正改ざん判定を実行してもよい。
【００５３】
（５）図３に示した例では、読取部９と記憶媒体１３とはＲＦＩＤを構成し、非接触で情報を読み取ったが、その他の非接触方式又は接触方式で情報を読み取ることもできる。例えば、記憶媒体１３は接触型ＩＣ（Ｉｎｔｅｇｒａｔｅｄ  Ｃｉｒｃｕｉｔ）であり、読取部９は接触型ＩＣに対応した読取装置又は読み書き装置である。
【産業上の利用可能性】
【００５４】
本発明は、消耗品を適宜交換して使用する画像形成装置の分野に利用可能である。
【符号の説明】
【００５５】
１    画像形成装置
３    制御部
５    メイン制御部
７    エンジン制御部
９    読取部
１１    消耗材ユニット
１３    記憶媒体
１５    第１情報
１７    第２情報
１９    チェックサム
２１    第１制御部
２３    第２制御部
２５    記憶部
【図１】
0006010001.tif 000002
【図２】
0006010001.tif 000003
【図３】
0006010001.tif 000004
【図４】
0006010001.tif 000005
【図５】
0006010001.tif 000006
【図６】
0006010001.tif 000007